(57)【特許請求の範囲】
【請求項１】
錘と浮子部材を組み合わせた沈下浮子の機能を有する釣り具であって、可撓性を有する連結部材内に複数に分割した浮子部材を備えるとともに、前記連結部材内の一端に複数に分割した錘を備えて前記連結部材の全体を棒状体の沈下浮子となし、他端を道糸に接続する構造とした釣り具。
【請求項２】
前記連結部材は、柔軟な樹脂製のチューブであることを特徴とする請求項１記載の釣り具。
【発明の詳細な説明】
【０００１】
【発明の属する技術分野】
本発明は、岩場における釣りに好適な釣り具に関する。
【０００２】
【従来の技術】
釣りは人気のあるレジャーとして広く普及しており、海や川、湖において多くの人が釣りを楽しんでいる。そして、釣りの成果を高めるため、また釣り自体をより楽しむために、釣り具にも目的に応じたさまざまな工夫と改良が加えられている。
【０００３】
釣りのポイントの一つとして岩場があるが、この岩場における釣りにおいては、錘や針が岩と岩の間に挟まったり、引っかかったりする、いわゆる根がかりがしばしば起きる。根がかりが起きると、釣りの興趣がそがれるだけでなく、錘や針が外れなくなると、これらが釣り糸とともに放置されることとなり、環境保全の面からも問題がある。
【０００４】
このような根がかりの問題を解消ないし緩和するために、従来から釣り具に関していくつかの提案がなされている。たとえば、特公昭５５−２４８５９号公報には、下部に重錘を取り付けた砲弾形状のフロートの中心部にワイヤーを挿通したフロート式天秤釣り具において、長細い三角形状をした２枚羽板をフロート部内に枢着した釣り具が開示されている。この釣り具によれば、遠投時の飛行姿勢と海底面上の摺動移動姿勢の安定性がよく、また根がかり発生が少なくなる。
【０００５】
また、特開昭５４−１６０６７４号公報には、凧の形をした浮力をもつ釣り具を錘で海中に沈める方式の釣り具が開示されている。この釣り具によれば、糸を引いたときに錘が上下動を繰り返し海底を引きずらないので、根がかり発生が少なくなる。
【０００６】
また、実開昭５７−５２１７７号公報には、断面が翼型を形成するプレートを取り付けた釣り具用天秤が開示されている。この釣り具によれば、糸を引いたとき、翼の前進とともに浮力が生じて浮き上がりながら前進するので、根がかり発生が少なくなる。
【０００７】
【発明が解決しようとする課題】
しかしながら、上記特公昭５５−２４８５９号公報に記載の釣り具は、羽板を取り付けたフロート部の構造が複雑であり、製造コストの高いものとなる。また、特開昭５４−１６０６７４号公報および実開昭５７−５２１７７号公報に記載の釣り具は、凧型あるいは翼型をしたプレートが比較的大きなものであるので、岩場で岩と岩の間が狭いときは、この隙間にプレートが引っ掛かりやすく、このような場所では依然として根がかりが発生しやすい。
【０００８】
また、上記公報に記載の釣り具においては、針は釣り具より下に垂れた状態にあるので、針が岩に刺さって根がかりを生じることがある。さらに、底釣りにおいては底から少し浮かせた棚を正確に設定することが釣りの成果を左右することが多いが、上記公報に記載の釣り具においては、釣り具の水底からの高さ位置がほとんど０であるため水底から少し浮かせた棚の設定が困難であるという欠点がある。
【０００９】
本発明の目的は、簡単な構造で、岩場における根がかりの発生を防止し、あわせて釣りの成果をより高めることのできる釣り具を提供することにある。
【００１０】
【課題を解決するための手段】
本発明の釣り具は、錘と浮子部材を組み合わせた沈下浮子の機能を有する釣り具であって、浮子部材の一端に錘を備えて全体を棒状体の沈下浮子となし、前記浮子部材の他端を道糸に接続する構造としたことを特徴とする。本発明の釣り具は、水中にあるときは下端に錘を有する棒状体の沈下浮子となるので、道糸に浮子部材の他端を取り付けて水中に投げ込んだとき、釣り具は錘を下にして水中に沈み、錘が水底に達して浮子部材の道糸を取り付けた側が浮力によって持ち上がろうとする。
【００１１】
ここで、前記錘と浮子部材の構成比率は、水中において錘が水底に達したときに釣り具が直立するように、釣り具全体の浮力に対して錘および浮子部材を調節したものとすれば、釣り具はほぼ垂直に直立する。そして、道糸を引っ張ってテンションをかけると釣り具は傾き、続けて引っ張ると釣り具は傾いた姿勢のままで水底を移動する。一方、釣り具が直立せずに斜めや横たわるような錘と浮子部材の構成比率となっている場合においても、道糸を軽く引っ張ってテンションをかけると釣り具は斜めに起きあがり、続けて引っ張ると釣り具は傾いた姿勢のままで水底を移動する。
【００１２】
いずれの場合においても、さらに道糸を引っ張ると、釣り具は傾いた姿勢のままで水面に向けて上昇する。そのまま引っ張れば、途中にある海藻などに引っ掛かりにくくなる。釣り具は棒状体であり、突起物はないので、岩場であっても釣り具が岩と岩の間に挟まりにくく、また引っ掛かりにくい。また、投げ釣りの際に、錘が矢の役目をなし、浮子部材が羽根の役目を果たすことにより、遠投距離を伸ばすことができる。
【００１３】
特に、本発明は、棒状体が可撓性を有するように構成することが望ましい。棒状体が可撓性を有して柔軟に曲がることにより、釣り具が岩場等に入り込んだりしても、そのまま引っ張れば容易にすり抜けるようになるため、釣り具が岩と岩の間に挟まったり、引っ掛かったりするのをさらに防止することができる。
【００１４】
棒状体に可撓性を持たせるためには、例えば、錘と浮子部材とをそれぞれ短く分割しておき、可撓性を有するゴムや軟質プラスチック等により形成されたパイプやチューブ等の連結部材の中に挿入すればよい。あるいは、これらの可撓性を有するパイプやチューブ等自身を浮子部材としてその内部に空気を充填しておき、錘と一体成型したものとすることができる。または、錘と浮子部材とを棒状に並べてゴム、軟質プラスチック、織物や化学繊維等によって被覆するとよい。あるいは、可撓性を有するワイヤーやピアノ線等に錘と浮子部材とを一列に並べて通し、棒状となるように連結することもできる。
【００１５】
錘と浮子部材とをそれぞれ短く分割して棒状体の沈下浮子を形成し、浮子部材に可撓性を持たせることによって、浮子部材には硬度が固いものを使用することができ、水深が深いところで使用しても水圧によって潰されないようにすることが可能となる。
【００１６】
あるいは、浮子部材自身を弾性体により構成し、分割した錘と組み合わせることによって、棒状体が可撓性を有するように構成することもできる。錘と浮子部材の連結は、接着剤などで固定してもよく、また、ネジなどにより着脱可能に連結してもよい。錘と浮子部材のそれぞれは、全体を一体的に製作してもよく、また、錘と浮子部材のいずれかまたは両方を分割式としてネジなどにより着脱可能に連結する方式としてもよい。
【００１７】
錘と浮子部材を着脱可能とした場合、本発明の錘は交換することが可能となる。錘を交換可能とすることによって、異なる種類の錘と浮子部材を組み合わせ、錘による沈下力と浮子部材による浮力のバランスを調節することが可能となる。また、錘や浮子部材をそれぞれ複数に分割して着脱可能に連結する場合は、錘または浮子部材の長さを変えて錘による沈下力と浮子部材による浮力のバランスを調節することが簡単にできるようになる。さらに、この連結部に天秤などの他の部材を取り付けることができる。たとえば浮子部材の連結部に天秤を取り付けた場合は、天秤の先端に取り付けたハリスを正確に水底近くに設定することができ、釣りの成果を高めることができる。
【００１８】
さらに、天秤の先端に小さい浮力の浮子を取り付けることもできる。この場合、小浮子の浮力により天秤が上を向く姿勢に維持することができ、岩場の釣りにおいて道糸を引っ張ったときに、ハリスの先端の針よりも先に浮子部材が岩に当たることになり、針が岩に引っ掛かるのを防止することができる。また、天秤を使用せずに直接ハリスを取り付けることもできる。この場合、餌を付けた針が沈んで岩に根がかりするのを防止するために、針の根元に小さな浮子を取り付けて、水の比重と同程度の浮力を付与するようにすることもできる。
【００１９】
あるいは、天秤を浮子部材と道糸との間に取り付けることもできる。この場合、釣り具上部の天秤との接続部は、浮子部材の下部の錘の接地点を支点として浮子部材および錘の負荷なく移動できるようになる。そのため、天秤の先端部分に取り付けたハリスに浮子部材および錘の負荷は掛からず、ハリス先端の針に食いついた魚が感じる抵抗が少なくなって魚の食い込みが良くなる。
【００２０】
浮子部材の他端に取り付けた道糸には、サビキを取り付けることができる。本発明の釣り具を用いた場合、釣り具は水底に直立した状態にあるので、釣り具の上端に近い位置にサビキを取り付ければ、サビキは常にほぼ一定の高さ位置に維持されることになる。また、浮子部材の他端に取り付けた道糸を延長して天秤のハリスに接続することもできる。このように道糸を取り付けた場合は、魚が釣れたときに釣り具全体にかかる負荷が軽減される。
【００２１】
【発明の実施の形態】
図１は本発明の第１実施形態を示す釣り具の縦断面図である。
本実施形態の釣り具１は、可撓性を有するチューブ２内に複数に分割した錘３と複数に分割した浮子部材４とを組み合わせて全体を棒状体の沈下浮子となし、浮子部材４の他端に道糸５を接続する構造としたものである。釣り具１と道糸５とは連結具６および天秤７を介して接続され、天秤７の他端には針８ａ付きのハリス８が取り付けられる。
【００２２】
チューブ２は、外径約１３ｍｍ、内径約１０ｍｍ、長さ約３００ｍｍ、重さ約１５ｇの柔軟な樹脂製の中空棒状体である。錘３は外径約１０ｍｍ、長さ約５ｍｍの鉛製の円柱体であり、この錘３をチューブ２内の端部に複数個組み合わせて挿入し、錘３全体の重さを約７６ｇとしている。浮子部材４は外径約９．５ｍｍ、長さ約１５ｍｍのプラスチック製パイプであり、この浮子部材４をチューブ２内に複数個組み合わせ、浮子部材４全体の重さを約１０ｇとしている。このように柔軟な樹脂製のチューブ２中にそれぞれ短く複数に分割された錘３および浮子部材４を挿入し組み合わせるることで、釣り具１は可撓性を有するようになる。
【００２３】
ここで、錘３と浮子部材４との構成比率を調節することによって、釣り具を水中に沈めたときの態様を変化させることができる。図２は浮力自立型の釣り具の態様を示す図、図３は張力起立型の釣り具の態様を示す図である。なお、図１に示す釣り具１は、図２に示す浮力自立型のものである。また、錘３と浮子部材４の構成比率の調整は、チューブ２内に挿入するそれぞれの個数や材質等を変化させることによって可能となるが、錘３と浮子部材４とを分割可能としておき、錘３を交換することによっても可能とすることができる。
【００２４】
図２に示すように、釣り具１のチューブ２内の錘３および浮子部材４それぞれによる沈下力Ｇ1 およびＧ2 と、釣り具１全体が受ける浮力Ｂとによるモーメントが、釣り具１下端の接地点Ａを支点として下向きに０以下である場合（浮力自立型）、釣り具１は水中で自力で起き上がる。そのため、道糸５に張力を加えずに緩めた状態においても釣り具１は自立し、垂直に直立する。
【００２５】
一方、前記モーメントが０を超える場合、図３に示すように、釣り具１ａは水底に横たわった状態となる。このような状態において道糸５に張力Ｆを加えると、前記モーメントが０以上となり、釣り具１ａは水中で起き上がる（張力起立型）。張力起立型の場合、浮力自立型のように錘３および浮子部材４の比重を微妙に調節する必要がないため、浮子部材４をあらゆる材質の中から自由に選択することができる。したがって、浮子部材４が受ける水圧やコスト面等において有利な選択を行うことができる。また、釣り具１ａ全体の重量を大きくすることが可能となるため、潮流に流されにくくなる。このような張力起立型は、船釣りや落とし込み釣りなどのように道糸が垂直に近く角度がある場合に有効である。船釣りや落とし込み釣りなどの場合、自立できることよりも速く水底に沈むことの方が重要視されるためである。
【００２６】
図１に戻って、連結具６は、チューブ２の上端を閉塞するプラスチック製のキャップ６ａと、上端にリングを形成した外径約１ｍｍのピアノ線６ｂとにより構成される。天秤７は、外径約１ｍｍ、長さ約３０ｍｍのピアノ線７ａの両端にリングを形成し、ピアノ線７ａを約２：１に分断する位置でθ＝１５０〜１７０°の角度に曲げて留金７ｂを設け、この留金７ｂによって分断されたピアノ線７ａの短い方に連結具６と連結するスナップ７ｃを位置可変に設けたものである。道糸５は天秤７のスナップ７ｃ側のリングに取り付ける。
【００２７】
ここで、図４は釣り具１の使用状態を示す図、図５は岩場における投げ釣りの態様を示す図である。浮力自立型の釣り具１を岩場に向けて投げ込んだとき、図４に示すように海底に岩礁Ｒがある場合、釣り具１は岩礁Ｒの上、あるいは岩礁Ｒの間において、錘３の方を下にして直立する。道糸５を緩めた状態においては、釣り具１は錘３を支点として揺動する。このとき、釣り具１の連結具６と連結するスナップ７ｃが天秤７のピアノ線７ａに対して位置可変なため、天秤７は釣り具１の負荷なく移動できる。そして、道糸５を引っ張ってテンションをかけると釣り具１は傾き、続けて引っ張ると釣り具１は傾いた姿勢のままで岩礁Ｒの上を移動する。
【００２８】
実際の岩場には種々の形態の岩礁があるが、釣り具１は、どのような場所に着地してもその場所で直立し、図５に示すように道糸５を引っ張ってテンションをかけると、釣り具１の上部に横方向の外力が作用して傾く。このような状態で道糸５を引っ張ると、釣り具１は傾いたままで、ハリス８の針８ａは釣り具１の上方に連結された天秤７によって支持され、錘３よりも上方で漂うので、釣り具１が岩礁Ｒの上や傾斜部を移動するときでも針８ａが岩礁Ｒに引っ掛かりにくくなる。なお、天秤７を使用せず、釣り具１の連結具６に直接道糸５を取り付け、この道糸５にサビキ９を取り付けた場合でも、サビキ９は錘３よりも上方で漂うので岩礁Ｒに引っ掛かりにくい。
【００２９】
また、釣り具１は全体として棒状であり、突起物はないので、図６に示すような岩場であっても釣り具１が岩Ｒ1 と岩Ｒ2 との間に挟まったり引っ掛かったりしにくい。さらに、本実施形態において釣り具１は可撓性を有しているため、図７に示すような岩場等に入り込んだりしても釣り具１が柔軟に曲がることによって、そのまま引っ張れば容易にすり抜けるようになり、釣り具１が岩場等に入り込んで引っ掛かったりすることがない。
【００３０】
図８は釣り具１の飛行状態を示す図である。
本実施形態の釣り具１は、投げ釣りの際には、図８に示すように、矢のような姿勢で飛行する。全体として棒状であって突起物がなく、また錘３によって釣り具１の重心位置が天秤７と反対側に偏っているためである。このとき、錘３側が矢の役目をなし、浮子部材４側が羽根の役目を果たすことにより、遠投距離を伸ばすことができる。また、このように飛行姿勢が安定することによって、道糸５がハリス８および針８ａに絡みにくくなる。
【００３１】
さらに、本実施形態の天秤７は、ほぼ直線に近いθ＝１５０〜１７０°の角度に曲げてあることによって、約９０°の角度に曲げてある従来のＬ型天秤の場合よりも飛行中の天秤７の姿勢を最適な状態に保つことができる。水中においても同様のことがいえる。
【００３２】
なお、図示していないが、錘３の先端部分（チューブ２）を○、△、□およびその他の均一断面形状としておけば、飛行中の釣り具１まわりの空気の整流効果が高められ、より飛行姿勢が安定し、さらに飛行距離を伸ばすことができる。さらに、この断面形状を先細としておけば、飛行中の釣り具１まわりの空気の整流効果をより高めることができる。一方、釣り具１が海底にある場合においても、錘３の先端部分が均一断面形状であることによって、釣り具１が海底の岩と岩との間にあっても、負荷なくすり抜けることができる。断面形状が先細の場合は、さらに容易にすり抜けが行われる。
【００３３】
図９は釣り具１の上昇状態を示す図である。
本実施形態の釣り具１は、前述したように道糸５を引っ張ってテンションをかけると傾く。そして、道糸５を巻き取って引っ張ると、図９に示すように、傾いた釣り具１は水の抵抗を受けて、釣り具１全体が羽根の役目を果たすことにより上昇する。このように、道糸５を巻き取って引っ張るときに、釣り具１と共にハリス８および針８ａが上昇するため、釣り具１を投げ込んだ釣りのポイントから岸までの間に海草等の障害物があっても、これらの障害物に引っ掛かるのを回避することができる。また、魚が針８ａに掛かった際においても、針８ａに上昇する力が作用することによって取り込み時に根掛かりするのを防止することができる。
【００３４】
図１０は、船釣りにおける釣り具の使用状態を示す図である。船からの底釣りの場合は、釣り具１は真下に沈下し、海底で直立する。潮の流れや船の移動によって道糸５が引っ張られ、釣り具１は傾いた状態で移動する。移動の状態は投げ釣りの場合と同じである。
【００３５】
図１１は本発明の第２実施形態を示す釣り具の正面図、図１２は図１１の釣り具の使用状態を示す図である。
【００３６】
本実施形態の釣り具１ｂは、図１に示す釣り具１の錘３部分を分離し、着脱可能な錘３ａとしたものである。錘３ａは、釣り具１ｂの浮子部材４の下方に設けたリング３ｂによって連結する。このように、錘３ａが着脱可能であることにより、既製品の錘３ａを使用して釣り具１ｂ全体の浮力に対する調整を容易に行うことが可能となる。また、錘３ａがリング３ｂによって連結されていることによって、釣り具１ｂの浮子部材４部分はその向きを自在に変えることができるため、ほぼ垂直に直立する。さらに、釣り具１ｂが根がかりしやすい隙間に入っても錘３ａがリング３ｂによって向きを自在に変えるため、その隙間を容易に通過させることができる。
【００３７】
図１３は本発明の第３実施形態を示す釣り具の分解斜視図、図１４は釣り具の使用状態を示す図、図１５は岩場における投げ釣りの態様を示す図である。
【００３８】
本実施形態の釣り具１０は、棒状の錘１１と棒状の浮子部材１２を組み合わせて全体を棒状体の沈下浮子となし、浮子部材１２の他端に道糸１３を接続するとともに、浮子部材１２の中間に連結具１４を介して天秤１５を取り付けたものである。
【００３９】
錘１１は、外径約８ｍｍ、長さ約１４０ｍｍ、重さ約５０ｇのステンレス鋼製の棒状体である。浮子部材１２は、外径約８ｍｍ、長さ約５００ｍｍ、重さ約１５ｇのプラスチック製パイプであり、中間の連結具１４を挟んで下部部材１２ａと上部部材１２ｂとに分割され、上端に取付具１３ａを介して道糸１３が取り付けられている。
【００４０】
連結具１４には、ステンレス鋼線１５ａの先端部に小浮子１５ｂを取り付けた天秤１５が取り付けられている。天秤１５の先端には針１６ａ付きのハリス１６が取り付けられている。
【００４１】
釣り具１０は上記の構成であるので、この釣り具１０を岩場に向けて投げ込んだとき、図１４に示すように海底に岩礁Ｒがある場合、釣り具１０は岩礁Ｒの上、あるいは岩礁Ｒの間において、錘１１を下にして直立する。そして、道糸１３を引っ張ってテンションをかけると釣り具１０は傾き、続けて引っ張ると釣り具１０は傾いた姿勢のままで岩礁Ｒの上を移動する。
【００４２】
釣り具１０はどのような場所に着地しても、図１５に示すように、その場所で直立し、天秤１５の小浮子１５ｂの作用により天秤１５が上方に傾くかたちで釣り具１０は傾く。このような状態で道糸１３を引っ張ると、釣り具１０は傾いたままで、ハリス１６の針１６ａは錘１１よりも上方で漂っているので、釣り具１０が岩礁Ｒの上や傾斜部を移動するときでも針１６ａは岩礁Ｒに引っ掛かりにくい。また、釣り具１０は全体として棒状であり、突起物はないので、岩場であっても釣り具が岩と岩の間に挟まったり、引っ掛かったりしにくい。さらに引っ張ると、釣り具１０は傾いた姿勢のままで水面に上昇する。
【００４３】
また、本実施形態の釣り具１０は、投げ釣りの際に、錘１１が矢の役目をなし、浮子部材１２が羽根の役目を果たすことにより、遠投距離を伸ばすことができる。なお、図１５において符号２０は次に述べる第４実施形態の釣り具である。
【００４４】
図１６は第４実施形態における釣り具の使用状態を示す図である。本実施形態の釣り具２０は錘２１と浮子部材２２とからなり、浮子部材２２の上端に道糸１３、およびこの道糸１３にサビキ１７を取り付けたものである。
【００４５】
錘２１は第３実施形態の釣り具１０の錘１１と同じものであり、浮子部材２２は、第３実施形態の浮子部材１２の上下の部材１２ａ，１２ｂを直接連結したものである。本実施形態の釣り具２０の場合も第１の実施形態の釣り具１０と同様に、釣り具１０が岩と岩の間に挟まったり、引っ掛かったりしにくい。
【００４６】
【発明の効果】
本発明によって以下の効果を奏することができる。
【００４７】
（１）浮子部材の一端に錘を備えて全体を棒状体の沈下浮子とすることにより、釣り具は錘を下にして水底に達し、道糸を引っ張ったときには釣り具は傾いた姿勢のままで水底を移動し、岩場であっても棒状体であり突起物のない釣り具は岩と岩の間に挟まりにくく、引っ掛かりにくいものとなる。
【００４８】
（２）棒状体が可撓性を有することにより、釣り具が岩場等に入り込んだりしても釣り具が柔軟に曲がるため、そのまま引っ張れば容易にすり抜けるようになる。したがって、釣り具が岩と岩の間に挟まったり、引っ掛かったりすることがない。
【００４９】
（３）錘が交換可能であることにより、錘による沈下力と浮子部材による浮力のバランスを簡単に調節することができる。
【００５０】
（４）浮子部材に天秤を取り付けることにより、天秤の先端に取り付けたハリスを正確に水底近くに設定することができ、釣りの成果を高めることができる。
【００５１】
（５）天秤を浮子部材と道糸との間に取り付けることにより、天秤は浮子部材の下部の錘の接地点を支点として浮子部材および錘の負荷なく移動できるようになり、天秤の先端部分に取り付けたハリスに浮子部材および錘の負荷は掛からず、ハリス先端の針に食いついた魚が感じる抵抗が少なくなって魚の食い込みが良くなり、釣りの成果を高めることができる。
【図面の簡単な説明】
【図１】  本発明の第１実施形態を示す釣り具の縦断面図である。
【図２】  浮力自立型の釣り具の態様を示す図である。
【図３】  張力起立型の釣り具の態様を示す図である。
【図４】  図１に示す釣り具の使用状態を示す図である。
【図５】  岩場における投げ釣りの態様を示す図である。
【図６】  岩と岩の間にある釣り具の状態を示す説明図である。
【図７】  岩場に入り込んだ釣り具の状態を示す説明図である。
【図８】  釣り具の飛行状態を示す図である。
【図９】  釣り具の上昇状態を示す図である。
【図１０】  船釣りにおける釣り具の使用状態を示す図である。
【図１１】  本発明の第２実施形態を示す釣り具の正面図である。
【図１２】  図１１の釣り具の使用状態を示す図である。
【図１３】  本発明の第３実施形態を示す釣り具の分解斜視図である。
【図１４】  図１３に示す釣り具の使用状態を示す図である。
【図１５】  岩場における投げ釣りの態様を示す図である。
【図１６】  本発明の第４実施形態における釣り具の使用状態を示す図である。
【符号の説明】
１，１ａ，１０，２０  釣り具
２  チューブ
３，１１，２１  錘
４，１２，２２  浮子部材
５，１３  道糸
６  連結具
６ａ  キャップ
６ｂ，７ａ  ピアノ線
７，１５  天秤
７ｂ  留金
７ｃ  スナップ
８，１６  ハリス
８ａ，１６ａ  針
９，１７  サビキ
１２ａ  下部部材
１２ｂ  上部部材
１３ａ  取付具
１４  連結具
１５ａ  ステンレス鋼線
１５ｂ  小浮子
Ｒ  岩礁
【図１】
0004073122.tif 000002
【図２】
0004073122.tif 000003
【図３】
0004073122.tif 000004
【図４】
0004073122.tif 000005
【図５】
0004073122.tif 000006
【図６】
0004073122.tif 000007
【図７】
0004073122.tif 000008
【図８】
0004073122.tif 000009
【図９】
0004073122.tif 000010
【図１０】
0004073122.tif 000011
【図１１】
0004073122.tif 000012
【図１２】
0004073122.tif 000013
【図１３】
0004073122.tif 000014
【図１４】
0004073122.tif 000015
【図１５】
0004073122.tif 000016
【図１６】
0004073122.tif 000017